【手続補正書】
【提出日】平成27年1月30日(2015.1.30)
【手続補正１】
【補正対象書類名】明細書
【補正対象項目名】０００７
【補正方法】変更
【補正の内容】
【０００７】
本発明は、他の画像形成装置からの要求に応じて要求元の画像形成装置に適切に書誌情報を送信して表示させる仕組みを提供することを目的とする。
【手続補正２】
【補正対象書類名】明細書
【補正対象項目名】０００８
【補正方法】変更
【補正の内容】
【０００８】
本発明の画像形成装置は、印刷データの書誌情報を記憶する他の画像形成装置と通信可能な、印刷データの書誌情報を記憶する画像形成装置であって、他の画像形成装置に記憶されている書誌情報を要求する要求手段と、前記画像形成装置に記憶されている書誌情報を、前記他の画像形成装置の前記要求手段による要求に応じて他の画像形成装置に送信するか否かを決定するための情報を記憶する記憶手段と、他の画像形成装置の要求手段による書誌情報の要求を受け付ける要求受付手段と、前記要求受付手段で要求を受け付けた書誌情報のうち、前記記憶手段に記憶された情報に基づいて他の画像形成装置に送信しないと決定された書誌情報を要求元の画像形成装置に送信することなく、自機画像形成装置に記憶されている、前記記憶手段に記憶された情報に基づいて他の画像形成装置に送信すると決定された書誌情報を要求元の画像形成装置に送信する送信手段と、自機画像形成装置に記憶されている書誌情報と、前記要求手段による要求に応じて前記他の画像形成装置の前記送信手段により送信された前記書誌情報を取得する取得手段と、前記取得手段で取得された書誌情報を表示画面に表示する表示制御手段と、を備えることを特徴とする。
【手続補正３】
【補正対象書類名】明細書
【補正対象項目名】０００９
【補正方法】変更
【補正の内容】
【０００９】
本発明の画像形成装置の制御方法は、印刷データの書誌情報を記憶する他の画像形成装置と通信可能な、印刷データの書誌情報を記憶する画像形成装置の制御方法であって、前記画像形成装置が、他の画像形成装置に記憶されている書誌情報を要求する要求工程と、前記画像形成装置に記憶されている書誌情報を、前記他の画像形成装置の前記要求工程による要求に応じて他の画像形成装置に送信するか否かを決定するための情報を記憶する記憶工程と、他の画像形成装置の要求工程による書誌情報の要求を受け付ける要求受付工程と、前記要求受付工程で要求を受け付けた書誌情報のうち、前記記憶工程に記憶された情報に基づいて他の画像形成装置に送信しないと決定された書誌情報を要求元の画像形成装置に送信することなく、自機画像形成装置に記憶されている、前記記憶工程に記憶された情報に基づいて他の画像形成装置に送信すると決定された書誌情報を要求元の画像形成装置に送信する送信工程と、自機画像形成装置に記憶されている書誌情報と、前記要求工程による要求に応じて前記他の画像形成装置の前記送信工程により送信された前記書誌情報を取得する取得工程と、前記取得工程で取得された書誌情報を表示画面に表示する表示制御工程と、を含むことを特徴とする。
【手続補正４】
【補正対象書類名】明細書
【補正対象項目名】００１０
【補正方法】変更
【補正の内容】
【００１０】
本発明のコンピュータプログラムは、印刷データの書誌情報を記憶する他の画像形成装置と通信可能な、印刷データの書誌情報を記憶する画像形成装置で実行可能なコンピュータプログラムであって、前記画像形成装置を、他の画像形成装置に記憶されている書誌情報を要求する要求手段と、前記画像形成装置に記憶されている書誌情報を、前記他の画像形成装置の前記要求手段による要求に応じて他の画像形成装置に送信するか否かを決定するための情報を記憶する記憶手段と、他の画像形成装置の要求手段による書誌情報の要求を受け付ける要求受付手段と、前記要求受付手段で要求を受け付けた書誌情報のうち、前記記憶手段に記憶された情報に基づいて他の画像形成装置に送信しないと決定された書誌情報を要求元の画像形成装置に送信することなく、自機画像形成装置に記憶されている、前記記憶手段に記憶された情報に基づいて他の画像形成装置に送信すると決定された書誌情報を要求元の画像形成装置に送信する送信手段と、自機画像形成装置に記憶されている書誌情報と、前記要求手段による要求に応じて前記他の画像形成装置の前記送信手段により送信された前記書誌情報を取得する取得手段と、前記取得手段で取得された書誌情報を表示画面に表示する表示制御手段として機能させることを特徴とする。
【手続補正５】
【補正対象書類名】明細書
【補正対象項目名】００１１
【補正方法】変更
【補正の内容】
【００１１】
本発明によれば、他の画像形成装置からの要求に応じて要求元の画像形成装置に適切に書誌情報を送信して表示させる仕組みを提供することが可能となる。
【手続補正６】
【補正対象書類名】特許請求の範囲
【補正対象項目名】全文
【補正方法】変更
【補正の内容】
【特許請求の範囲】
【請求項１】
印刷データの書誌情報を記憶する他の画像形成装置と通信可能な、印刷データの書誌情報を記憶する画像形成装置であって、
他の画像形成装置に記憶されている書誌情報を要求する要求手段と、
前記画像形成装置に記憶されている書誌情報を、前記他の画像形成装置の前記要求手段による要求に応じて他の画像形成装置に送信するか否かを決定するための情報を記憶する記憶手段と、
他の画像形成装置の要求手段による書誌情報の要求を受け付ける要求受付手段と、
前記要求受付手段で要求を受け付けた書誌情報のうち、前記記憶手段に記憶された情報に基づいて他の画像形成装置に送信しないと決定された書誌情報を要求元の画像形成装置に送信することなく、自機画像形成装置に記憶されている、前記記憶手段に記憶された情報に基づいて他の画像形成装置に送信すると決定された書誌情報を要求元の画像形成装置に送信する送信手段と、
自機画像形成装置に記憶されている書誌情報と、前記要求手段による要求に応じて前記他の画像形成装置の前記送信手段により送信された前記書誌情報を取得する取得手段と、
前記取得手段で取得された書誌情報を表示画面に表示する表示制御手段と、
を備えることを特徴とする画像形成装置。
【請求項２】
前記記憶手段に記憶された情報に基づいて、他の画像形成装置に送信する前記書誌情報と、他の画像形成装置に送信しない前記書誌情報とを決定する決定手段
を備え、
前記送信手段は、前記要求受付手段で要求を受け付けた書誌情報のうち、前記決定手段により他の画像形成装置に送信しないと決定された書誌情報を要求元の画像形成装置に送信することなく、前記決定手段により他の画像形成装置に送信すると決定された書誌情報を要求元の画像形成装置に送信することを特徴とする請求項１に記載の画像形成装置。
【請求項３】
前記表示制御手段は、前記取得手段で取得された自記画像形成装置に記憶されている書誌情報と、前記要求手段による要求に応じて前記他の画像形成装置から前記送信手段により送信され取得された書誌情報とを、１つのリストとして合わせて表示画面に表示することを特徴とする請求項１又は２に記載の画像形成装置。
【請求項４】
ユーザ情報の入力を受け付けるユーザ情報入力受付手段と、
ユーザ情報に対応する画像形成装置であるマイプリンタの識別情報の入力を受け付けるマイプリンタ情報入力受付手段と、
前記マイプリンタ情報入力受付手段で入力を受け付けたマイプリンタの識別情報に基づいて、前記ユーザ情報入力受付手段で入力を受け付けたユーザ情報に対応するマイプリンタが、自機画像形成装置か、他の画像形成装置かを判定する判定手段と、
を備え、
前記要求手段は、前記判定手段で、前記ユーザ情報入力受付手段で入力を受け付けたユーザ情報に対応するマイプリンタが前記他の画像形成装置であると判定した場合に、前記ユーザ情報入力受付手段で入力を受け付けたユーザ情報に対応する印刷データの書誌情報を当該ユーザ情報に対応するマイプリンタである他の画像形成装置に要求し、
前記取得手段は、前記判定手段で、前記ユーザ情報入力受付手段で入力を受け付けたユーザ情報に対応するマイプリンタが自機画像形成装置であると判定した場合、当該マイプリンタである自機画像形成装置から当該ユーザ情報に対応する印刷データの書誌情報を取得し、前記ユーザ情報入力受付手段で入力を受け付けたユーザ情報に対応するマイプリンタが前記他の画像形成装置であると判定した場合、マイプリンタでない自機画像形成装置から当該ユーザ情報に対応する印刷データの書誌情報を取得して、且つマイプリンタである前記他の画像形成装置の送信手段により送信された書誌情報を取得し、
前記表示制御手段は、前記判定手段で、前記ユーザ情報入力受付手段で入力を受け付けたユーザ情報に対応する前記マイプリンタが自機画像形成装置であると判定した場合、前記取得手段で当該マイプリンタである自機画像形成装置より取得された書誌情報を表示画面に表示し、前記入力受付手段で入力を受け付けた前記ユーザ情報に対応するマイプリンタが前記他の画像形成装置であると判定した場合、前記取得手段で、マイプリンタでない自機画像形成装置から取得された書誌情報及びマイプリンタである前記他の画像形成装置から取得された書誌情報の両方を表示画面に表示することを特徴とする請求項１乃至３のいずれか１項に記載の画像形成装置。
【請求項５】
ユーザ操作に応じて、前記入力受付手段で入力を受け付けたユーザ情報に対応するマイプリンタ情報として、自機画像形成装置の識別情報を当該ユーザ情報と対応付けて携帯記憶媒体に記憶する制御を行うマイプリンタ情報記憶制御手段と、
を備え、
前記ユーザ情報入力受付手段は、前記携帯記憶媒体を検知することで当該検知した携帯記憶媒体に記憶されているユーザ情報の入力を受け付け、
前記マイプリンタ情報入力受付手段は、前記携帯記憶媒体を検知することで当該検知した携帯記憶媒体に記憶されている、当該携帯記憶媒体に記憶されたユーザ情報に対応する前記マイプリンタの識別情報の入力を受け付けることを特徴とする請求項４に記載の画像形成装置。
【請求項６】
印刷データの書誌情報を記憶する他の画像形成装置と通信可能な、印刷データの書誌情報を記憶する画像形成装置の制御方法であって、
前記画像形成装置が、
他の画像形成装置に記憶されている書誌情報を要求する要求工程と、
前記画像形成装置に記憶されている書誌情報を、前記他の画像形成装置の前記要求工程による要求に応じて他の画像形成装置に送信するか否かを決定するための情報を記憶する記憶工程と、
他の画像形成装置の要求工程による書誌情報の要求を受け付ける要求受付工程と、
前記要求受付工程で要求を受け付けた書誌情報のうち、前記記憶工程に記憶された情報に基づいて他の画像形成装置に送信しないと決定された書誌情報を要求元の画像形成装置に送信することなく、自機画像形成装置に記憶されている、前記記憶工程に記憶された情報に基づいて他の画像形成装置に送信すると決定された書誌情報を要求元の画像形成装置に送信する送信工程と、
自機画像形成装置に記憶されている書誌情報と、前記要求工程による要求に応じて前記他の画像形成装置の前記送信工程により送信された前記書誌情報を取得する取得工程と、
前記取得工程で取得された書誌情報を表示画面に表示する表示制御工程と、
を含むことを特徴とする画像形成装置の制御方法。
【請求項７】
印刷データの書誌情報を記憶する他の画像形成装置と通信可能な、印刷データの書誌情報を記憶する画像形成装置で実行可能なコンピュータプログラムであって、
前記画像形成装置を、
他の画像形成装置に記憶されている書誌情報を要求する要求手段と、
前記画像形成装置に記憶されている書誌情報を、前記他の画像形成装置の前記要求手段による要求に応じて他の画像形成装置に送信するか否かを決定するための情報を記憶する記憶手段と、
他の画像形成装置の要求手段による書誌情報の要求を受け付ける要求受付手段と、
前記要求受付手段で要求を受け付けた書誌情報のうち、前記記憶手段に記憶された情報に基づいて他の画像形成装置に送信しないと決定された書誌情報を要求元の画像形成装置に送信することなく、自機画像形成装置に記憶されている、前記記憶手段に記憶された情報に基づいて他の画像形成装置に送信すると決定された書誌情報を要求元の画像形成装置に送信する送信手段と、
自機画像形成装置に記憶されている書誌情報と、前記要求手段による要求に応じて前記他の画像形成装置の前記送信手段により送信された前記書誌情報を取得する取得手段と、
前記取得手段で取得された書誌情報を表示画面に表示する表示制御手段として機能させることを特徴とするコンピュータプログラム。
【請求項８】
印刷データの書誌情報を記憶する第1の画像形成装置及び第２の画像形成装置を含む画像形成システムであって、
前記第１の画像形成装置は、
前記第２の画像形成装置に記憶されている書誌情報を要求する要求手段と、
を備え、
前記第２の画像形成装置は、
前記第２の画像形成装置に記憶されている書誌情報を、他の画像形成装置の前記要求手段による要求に応じて他の画像形成装置に送信するか否かを決定するための情報を記憶する記憶手段と、
前記第１の画像形成装置の要求手段による書誌情報の要求を受け付ける要求受付手段と、
前記要求受付手段で要求を受け付けた書誌情報のうち、前記記憶手段に記憶された情報に基づいて他の画像形成装置に送信しないと決定された書誌情報を前記第１の画像形成装置に送信することなく、自機画像形成装置に記憶されている、前記記憶手段に記憶された情報に基づいて他の画像形成装置に送信すると決定された書誌情報を前記第１の画像形成装置に送信する送信手段と、
を備え、
前記第１の画像形成装置は更に、
自機画像形成装置に記憶されている書誌情報と、前記要求手段による要求に応じて前記他の画像形成装置の前記送信手段により送信された前記書誌情報を取得する取得手段と、
前記取得手段で取得された書誌情報を表示画面に表示する表示制御手段と、
を備えることを特徴とする画像形成装置。